(57)【要約】【課題】手を汚すことなく、ゴミを舞い上げることなく衛生的に、また、軽い力で回転ブラシに絡みついた塵埃を容易に取り除くことができる電気掃除機の吸込具を提供する。【解決手段】吸込具に回転ブラシ３０に付着した塵埃を除去するための塵埃除去手段３９を設け、塵埃除去手段３９は、回転ブラシ３０の清掃体３３間あるいは清掃体保持部３２間の谷部３４と略同形状に形成され、谷部３４に位置した状態で回転ブラシ３０の軸方向に案内される第１のリムーバーを備えている。【選択図】図６
2011115542.tif 000002
【特許請求の範囲】
【請求項１】
筒状基体に清掃体保持部を介して清掃体が保持された回転ブラシと、
下部に開口部を有し、前記回転ブラシが回転自在に収納された吸込室と、
前記回転ブラシを回転駆動させる駆動手段と、
前記回転ブラシに付着した塵埃を除去するための塵埃除去手段とを備え、
前記塵埃除去手段は、前記回転ブラシの清掃体間あるいは清掃体保持部間の隙間と略同形状に形成され、前記隙間に位置した状態で前記回転ブラシの軸方向に案内される第１のリムーバーを有することを特徴とする電気掃除機の吸込具。
【請求項２】
前記回転ブラシは、前記回転ブラシを軸方向に引き抜いて着脱するブラシ着脱用持ち手部を備え、
前記塵埃除去手段は、前記ブラシ着脱部により前記回転ブラシが引き抜かれた際に、第１のリムーバーによって前記回転ブラシに付着した塵埃を除去することを特徴とする請求項１記載の電気掃除機の吸込具。
【請求項３】
前記第１のリムーバーには、前記谷部に対応して配置され、前記回転ブラシの軸方向に延びる突起部が設けられていることを特徴とする請求項１又は２記載の電気掃除機の吸込具。
【請求項４】
前記回転ブラシの清掃体保持部は、前記筒状基体の外周面から突出していることを特徴とする請求項１乃至３の何れかに記載の電気掃除機の吸込具。
【請求項５】
前記第１のリムーバーの突起部は、前記谷部隙間側の面に対向する上面が根元から先端へ向けて下方に傾斜していることを特徴とする請求項４記載の電気掃除機の吸込具。
【請求項６】
第１のリムーバーの突起部は、該突起部の根元を最大径とし、前記回転ブラシの軸方向に向かって幅が狭くなり、前記回転ブラシと対向する面は前記谷部と一定の間隔をもった略同形状の面を構成し、回転軸周方向が先端に向けて傾斜した円錐形状とすることを特徴とする請求項４記載の電気掃除機の吸込具。
【請求項７】
前記塵埃除去手段は、少なくとも前記回転ブラシの清掃体の先端と接触する第２のリムーバーを備えていることを特徴とする請求項１乃至６の何れかに記載の電気掃除機の吸込具。
【請求項８】
前記第２のリムーバーと前記回転ブラシの回転軸との距離は、前記清掃体保持部と前記回転ブラシの回転軸との距離より大きくなるように構成したことを特徴とする請求項７記載の電気掃除機の吸込具。
【請求項９】
前記第１のリムーバーの突起部の根元の上面と前記回転ブラシの回転軸との距離は、前記第２のリムーバーと前記回転ブラシの回転軸との距離よりも大きくなるように構成したことを特徴とする請求項７又は８記載の電気掃除機の吸込具。
【請求項１０】
前記第２のリムーバーには、前記清掃体に対応して配置され、前記回転ブラシの軸方向に延びる突起部が設けられていることを特徴とする請求項９記載の電気掃除機の吸込具。
【請求項１１】
前記第２のリムーバーの突起部は、前記清掃体側の面に対向する上面が根元から先端へ向けて下方に傾斜していることを特徴とする請求項１０記載の電気掃除機の吸込具。
【請求項１２】
前記第１のリムーバーの突起部よりも前記第２のリムーバーの突起部の方が根元側の高さ寸法が小さいことを特徴とする請求項１０又は１１記載の電気掃除機の吸込具。
【請求項１３】
前記塵埃除去手段は、前記吸込み具に設けられた軸部に回転自在保持され、前記塵埃除去手段の略中心に回転ブラシが貫通するように構成し，運転操作時に塵埃除去手段は回転ブラシと一体で回転することを特徴とする請求項１乃至１２の何れかに記載の電気掃除機の吸込具。
【請求項１４】
前記第１のリムーバーの突起部は、前記回転ブラシの軸方向において前記回転ブラシの筒状基体と位置し，周方向はその谷部に嵌合して位置することを特徴とする請求項１乃至１３の何れかに記載の電気掃除機の吸込具。
【請求項１５】
前記塵埃除去手段は、前記吸込み具と一体または、固定設置され、その開口部には回転ブラシを貫通し、運転操作時には塵埃除去手段は回転しないように設けられていることを特徴とする請求項１乃至１３の何れかに記載の電気掃除機の吸込具。
【請求項１６】
前記第１のリムーバーの突起部は軸方向において回転ブラシの筒状基体と重複せずに位置する請求項１２記載の電気掃除機の吸込具。
【請求項１７】
前記塵埃除去手段は、運転中に前記回転ブラシに付着した塵埃を除去可能であることを特徴とする請求項１乃至１６の何れかに記載の電気掃除機の吸込具。
【請求項１８】
前記塵埃除去手段が複数個設けられていることを特徴とする請求項１乃至１７の何れかに記載の電気掃除機の吸込具。
【請求項１９】
前記複数の塵埃除去手段は、隣り合う塵埃除去手段との間に塵埃を集めるように構成されていることを特徴とする請求項１８記載の電気掃除機の吸込具。
【発明の詳細な説明】
【技術分野】
【０００１】
本発明は、回転ブラシが内蔵された吸込具を備えた電気掃除機に係わり、特に、その回転ブラシに付着された塵埃等を除去可能な電気掃除機に関するものである。
【背景技術】
【０００２】
電気掃除機の吸込具には回転ブラシが取り付けられており、この回転ブラシが回転して清掃面の塵埃を後方に掻き上げて吸引するが、この回転ブラシに毛や糸などが絡まってしまうと回転ブラシとしての機能を果たさなくなってしまう。
このような不具合を解決するものとして、まず、回転ブラシを吸込具から取り外して、回転ブラシの外周に設けたリング状の塵埃除去手段を回転ブラシの軸方向（長手方向）に沿って摺動させると、塵埃除去手段は、ガイドが中空基体の螺旋状の溝に案内されて回転ブラシの軸方向（長手方向）に沿って摺動するので、塵埃除去手段に設けられたカッター刃が溝に接触しながら回転ブラシの軸方向（長手方向）に沿って螺旋状に移動し糸状の塵埃を除去するというものが提案されている（例えば、特許文献１参照）。
【０００３】
また、軸方向への移動により着脱自在な回転ブラシを吸込具に内設し、かつこの吸込具を区画する隔壁の回転ブラシ貫通部に塵埃除去手段を設け、回転ブラシを引き抜くことで、前記塵埃除去手段により、そのブラシ部がしごかれて巻き付いた糸や髪の毛、綿ゴミが掻き落とされるというものが提案されている（例えば、特許文献２参照）。
【先行技術文献】
【特許文献】
【０００４】
【特許文献１】特開２００８−２５９７１８号公報（第７頁、図１０）
【特許文献２】特開昭６２−２１７９３０号公報（第２頁、図５）
【発明の概要】
【発明が解決しようとする課題】
【０００５】
前述した特許文献１に記載の電気掃除機の吸込具では、回転ブラシを取り外して、塵埃除去作業を行うために、塵埃除去手段を摺動させる際に塵埃を巻き上げてしまったり、直接手で塵埃に触れてしまったりするので衛生的ではなかった。また、塵埃除去手段に設けられたカッター刃に触れる可能性があり、安全ではないという課題があった。
【０００６】
また、特許文献２に記載の電気掃除機の吸込具では、塵埃除去手段はブラシ毛であり、除去の際に引き抜く方向にしなるので、塵埃が吸込具の外部に流出してしまったり、回転ブラシが安定せずに引き抜かれるので、引抜力が大きくなったりするという課題があった。
【０００７】
本発明は、前記のような課題を解決するためにされたもので、手を汚すことなく、ゴミを舞い上げることなく衛生的に、また、軽い力で回転ブラシに絡みついた塵埃を容易に取り除くことができる電気掃除機の吸込具を得ることを目的とする。
【課題を解決するための手段】
【０００８】
本発明に係る電気掃除機の吸込具は、筒状基体に清掃体保持部を介して清掃体が保持された回転ブラシと、下部に開口部を有し、回転ブラシが回転自在に収納された吸込室と、回転ブラシを回転駆動させる駆動手段と、回転ブラシに付着した塵埃を除去するための塵埃除去手段とを備え、塵埃除去手段は、隙間に位置した状態で回転ブラシの軸方向に案内される第１のリムーバーと、清掃体の先端と接触する第２のリムーバからなり、回転ブラシの清掃体保持部および清掃体保持部間の隙間で構成される断面形状と略同形状に形成される。
【発明の効果】
【０００９】
本発明によれば、塵埃除去手段の第１のリムーバと第２のリムーバにより手を汚すことなく、塵埃を舞い上げることなく衛生的に、回転ブラシに絡みついた塵埃を確実に取り除くことができ、また、第１のリムーバーが隙間に位置した状態で回転ブラシの軸方向に案内されるようにしているので、取り除くことができる。
【図面の簡単な説明】
【００１０】
【図１】本発明の実施の形態１に係る電気掃除機の全体構成を示す概略側面図である。
【図２】実施の形態１に係る電気掃除機の吸込具を斜め上方から見た状態の斜視図である。
【図３】図２に示す吸込具を斜め下方から見た状態の斜視図である。
【図４】実施の形態１に係る電気掃除機の吸込具を模式的に示す断面図である。
【図５】図４の塵除去手段及びその周辺を拡大して示す断面図である。
【図６】図３の吸込具に設けられた塵埃除去手段及びその周辺を拡大して示す平面図である。
【図７】実施の形態１の別の形態を示す平面図である。
【図８】本発明の実施の形態２に係る電気掃除機の回転ブラシの塵埃除去手段及びその周辺を拡大して示す平面図である。
【図９】実施の形態２の別の形態を示す平面図である。
【図１０】本発明の実施の形態３に係る電気掃除機の回転ブラシの塵埃除去手段及びその周辺を拡大して示す平面図である。
【図１１】実施の形態３の別の形態を示す平面図である。
【図１２】実施の形態４の別の形態を示す拡大平面図である。
【図１３】本発明の実施の形態５に係る電気掃除機の回転ブラシの塵埃除去手段及びその周辺を拡大して示す平面図である。
【発明を実施するための形態】
【００１１】
実施の形態１．（リムーバー突起無し）
図１は本発明の実施の形態１に係る電気掃除機の全体構成を示す概略側面図である。
この電気掃除機は、電動送風機や制御回路、集塵フィルタ等が内蔵された掃除機本体１０１と、掃除機本体１０１の吸込口部に一端が着脱自在に接続されたホース１０２と、スイッチ操作部を有し、ホース１０２の他端に設けられた手元ハンドル部１０３と、手元ハンドル部１０３の先端部に分岐状に設けられた隙間用のノズル等のアタッチメント本体部１０４と、手元ハンドル部１０３の他方の分岐接続口部に一端が開閉弁を介して着脱自在に接続された延長管１０５と、延長管１０５の他端が着脱自在に接続された吸込具１０とから構成されている。前述の手元ハンドル部１０３の下部には、延長管１０５を外すためのトリガー１０６が設けられている。    
【００１２】
なお、手元ハンドル部１０３の先端部には、前述したアタッチメント本体部１０４を設けなくてもよく、通常用いられている形態の延長管１０５のみを着脱自在に接続できるものであってもよい。また、延長管１０５は、パイプが伸び縮みする伸縮式あるいは複数のパイプを繋いでいく継ぎパイプ式の何れでも構わない。
【００１３】
図２は実施の形態１に係る電気掃除機の吸込具を斜め上方から見た状態の斜視図、図３は図２に示す吸込具を斜め下方から見た状態の斜視図、図４は実施の形態１に係る電気掃除機の吸込具を模式的に示す断面図、図５は図４の塵埃除去手段及びその周辺を拡大して示す断面図、図６は図３の吸込具に設けられた塵埃除去手段及びその周辺を拡大して示す平面図である。
【００１４】
前述した吸込具１０は、下ケース１１と上ケース１２を組み合わせて外観が構成され、その内部には横長の風路を有する吸込室１４が設けられている。その吸込室１４内には回転ブラシ３０が回転自在に収納されている。回転ブラシ３０は、一端が軸受け３５に、他端が回転ブラシ保持部３６にそれぞれ軸支され、吸込具１０に内蔵された駆動手段であるモータ（又はタービン）によって回転駆動される。なお、そのモータは図３に示す部位１５に内蔵されている。モータの駆動力は、例えばベルトを介して回転ブラシ３０に伝達され、回転ブラシ３０を所定方向に回転する。前述の吸込具１０の底部には吸込室１４の開口部が設けられており、吸込具１０の前面側の下部には、比較的変形し易い軟質材（例えばエラストマー、塩化ビニール）を用いたバッファー部１６が形成されている。また、吸込具１０の後面側には、図１に示す延長管１０５と接続される吸込口１７が設けられている。その吸込口１７は吸込室１４と連通している。
【００１５】
吸込具１０の吸込口１７側の底部には、支持部材（図示せず）によって支持された車輪１８が設けられている。その支持部材は、吸込具１０に回動自在に取り付けられ、吸込具１０が床面から浮いている状態においては車輪１８を床面側に突出した状態にし、そして、吸込具１０が着床した状態においては車輪１８が吸込具１０の内側に引っ込むように構成されている。吸込具１０には、車輪１８が引っ込んだときにオンするスイッチ（図示せず）が内蔵されており、このスイッチがオンすることにより掃除機本体１０１（図１参照）が駆動可能な状態になる。
【００１６】
回転ブラシ３０は、筒状基体３１と、筒状基体３１の外周面から突出し略全周を覆うように軸方向に螺旋状に巻かれた４本の一体成型の清掃体保持部３２と、清掃体保持部３２により保持され、その先端部から突出する清掃体３３とから構成されている。清掃体保持部３２同士の間には、螺旋状の谷部３４が構成されている。なお、清掃体保持部３２を筒状基体３１の内部にとりこみ、筒状基体３１の断面外形を円形にしても良い（図示せず）。このように構成した場合には、筒状基体３１の外周面から清掃体３３が突出した状態となる。清掃体３３として繊維質のブラシ毛を用いても良いし、軟質材のブレード状のものでも良い。また、これらを混合したブラシ毛でも良い。また、筒状基体３１の外周面に一体成型された清掃体保持部３２を軸方向に直線状に設けても良い。また、その本数も４本とは限らず、少なくとも２本以上あれば何本でも良い。
【００１７】
回転ブラシ３０の一端には、ブラシ着脱用持ち手３８を設け、ブラシ着脱用持ち手３８の一端はシャフト（図示せず）によって筒状基体３１と接続され、内部に軸受け（図示せず）を設けた回転部（図示せず）により筒状基体３１を回転自在に保持している。反対側の側面は指でつまめるような一文字状に形成された摘み３８ｂを有する。
【００１８】
吸込具１０の下ケース１１と上ケース１２の組み合わせにより構成された両側壁のうち回転ブラシ保持部３６側の側壁には開口部１３が設けられている。その開口部１３には、ブラシ着脱用持ち手３８が挿入され、その摘み３８ｂは開口部１３を形成する側壁に保持されている。また、開口部１３が設けられた側壁側には、図６に示すように隔壁３７が設けられている。隔壁３７には、回転ブラシ３０の軸心を中心とする貫通穴として回転ブラシ保持部３６が設けられている。また、その回転ブラシ保持部３６の吸込室１４側の隔壁３７の内周面には溝３７ｂが設けられている。そして、回転ブラシ保持部３６の中にはブラシ着脱用持ち手部３８の回転部（図示せず）が位置され、溝３７ｂには塵埃除去手段３９の周縁部が回転自在に嵌め込まれている。摘み３８ｂを手前に引き抜いた場合、開口部１３からブラシ着脱用持ち手３８の回転部３８ｂが引っ張り出され、次いで軸支されてる回転ブラシ３０が引っ張り出される。
【００１９】
塵埃除去手段３９は、図４に示すように、例えば外形が円形に形成され、その外径は隔壁３７の溝３７ａの底面までの径より小さく形成されている。また、塵埃除去手段３９には、回転ブラシ３０の軸心を中心とする略十字状の穴が設けられている。その穴には、筒状基体３１の清掃体保持部３２間に設けられた谷部３４と略同形の凸状の第１のリムーバー４０と、清掃体保持部３２と略同形の凹状の第２のリムーバー４１とが設けられている。第１のリムーバー４０は、谷部３４に対応して中心に向かって突出している。以下、塵埃除去手段３９の穴形状について、図５を用いて、回転ブラシ３０の回転軸中心からの距離を用いて説明する。１のリムーバー４０の下面との回転ブラシ３０の回転軸との距離Ａは、筒状基体３１の谷部３４までの半径より大きく、清掃体保持部３２と回転ブラシ３０の回転軸との距離Ｃより小さくなっている。次に、第２のリムーバー４１の下面と回転ブラシ３０の回転軸との距離Ｄは、ブラシ毛の清掃体３３に接触するように、その清掃体３３の先端と回転ブラシ３０の回転軸との距離径より小さくとっている。即ち、塵埃除去手段３９に形成された略十字状の穴に回転ブラシ３０が通過するように寸法がとられている。前述の第２のリムーバー４１には、軸方向から見て三角形状の突起が設けられている。これは、清掃体３３に付着した塵埃等を掻き取るためである。
【００２０】
次に、吸込具１０の動作を説明する。  
手元ハンドル部１０３に設けられたスイッチ操作部の操作により、掃除機本体１０１内の電動送風機が駆動すると、床面上の塵埃等が空気と共に吸込具１０の吸込室１４内に吸引され、吸込具１０の吸込口１７から延長管１０５、ホース１０２を介して掃除機本体１０１内に吸引される（図１参照）。この時、回転ブラシ３０が回転し、塵埃除去手段３９も回転ブラシ３０と共に回転する。その回転ブラシ３０の回転によって掻き上げられた塵埃等も吸引される。回転ブラシ３０の回転により塵埃等が掻き上げられた際に、回転ブラシ３０に糸くずや繊維状のもの、髪の毛等が絡んで巻き付き、回転ブラシ３０を締め付ける。このような状態になった場合には、埃、綿埃などが清掃体３３の先端に付着して塊となり取れなくなることがある。
【００２１】
そのような場合には、床面の掃除を終了した後、スイッチ操作部により電源を切って、ブラシ着脱用持ち手部３８を吸込具１０から回転ブラシ３０の軸方向に引き出すと、開口部１３から回転ブラシ保持部３６が引き出され、次いで回転ブラシ３０が引き出される。この時、塵埃除去手段３９の第１のリムーバー４０によって、回転ブラシ３０に巻き付いて付着したゴミ等が吸込具１０内で吸込室１４の開口部から床面に掻き落とされる。また同時に、清掃体３３に付着した埃の塊等が第２のリムーバー４１により吸込具１０内で掻き落とされる。そして、再びスイッチ操作部により電源を入れると、吸込具１０内に掻き落とされた塵埃等は空気と共に吸引され掃除機本体１０１側に吸い込まれる。
【００２２】
また、塵埃除去作業は電源を切らずに行っても良い。この場合、回転ブラシ３０の引抜と同時に吸引も行うので、回転ブラシ３０に付着したゴミ等が吸込具１０の外に舞うことを抑制できる。このようにした場合、より衛生的である。
【００２３】
以上のように実施の形態１によれば、塵埃除去手段３９の第１のリムーバー４０により、回転ブラシ３０に絡み付いた糸くずや髪の毛等を手を汚さずに容易に除去することができる。また、第１のリムーバー４０の形状により清掃体保持部３２や清掃体３３の側面を沿うように回転ブラシ３０を引き抜くことができるので、ガイドとなり、引抜方向（回転ブラシ３０の軸方向）がぶれることなく容易に引き抜くことができ、引抜力を低減できる。また、ブラシ着脱用持ち手部３８により回転ブラシ３０を引き抜いた際に、電源を入れれば、付着ゴミが吸込具１０の周辺に流出することが少なく衛生的である。
【００２４】
また、同様に第２のリムーバー４１により、清掃体３３に付着した埃の塊等を手を汚さずに容易に除去することができる。また、ブラシ着脱用持ち手部３８を持って回転ブラシ３０を引き抜いているとき、螺旋状に形成された清掃体保持部３２により回転ブラシ３０が回転しながら引き抜かれる。このため、清掃体３３が塵埃除去手段３９を通過するときに複雑に第２のリムーバー４１に接触し、より効果的に塵埃を除去することができる。
【００２５】
なお、実施の形態１では、第２のリムーバー４１を清掃体３３に少なくとも接触するようにしたが、清掃体３３との重なり量を多くしても良い。その第２のリムーバー４１の底面と清掃体３３との重なり量を多くすればするほど、引抜力は大きくなるが、付着ゴミの掻き取り力が強くなる。
【００２６】
また、実施の形態１では、隔壁３７に塵埃除去手段３９を回転自在に取り付けたことを述べたが、図７に示すように、回転ブラシ３０を引き抜き可能に塵埃除去手段３９を吸込み具１０と一体に形成しても良い。このように構成した場合、掃除機本体１０１の運転時に塵埃除去手段３９が回転ブラシ３０と共に回転しないので、回転による塵埃除去手段３９の周縁部の磨耗を防止でき、部品点数を減らすことができる。また、塵埃除去手段３９を別部品で構成し、隔壁３７に固定しても良い。その場合同様の効果を得るとともに、部品点数は増えるが金型形状を単純化することができる。  
【００２７】
実施の形態２．（突起型リムーバー）
図８は本発明の実施の形態２に係る電気掃除機の回転ブラシの塵埃除去手段及びその周辺を拡大して示す平面図である。
実施の形態２は、図４ａに示す塵埃除去手段３９の第１のリムーバー４０に突起部４０ａを、第２のリムーバー４１に突起部４１ａを設けたものである。第１のリムーバー４０の突起部４０ａは、回転ブラシ３０の谷部３４に対応して配置され、回転ブラシ３０の軸方向に延びて設けられている。その平面形状は四辺形に形成されている。第２のリムーバー４１の突起部４１ａは、回転ブラシ３０の清掃体３３に対応して配置され、回転ブラシ３０の軸方向に延びて設けられている。その平面形状は、根元と先端の幅がほぼ同じに形成され、その断面は四辺形に形成されている。
【００２８】
実施の形態２においては、回転ブラシ３０を引き抜くことで第１のリムーバー４０により、回転ブラシ３０に絡みついた糸くずや髪の毛等を手を汚さずに容易に除去するこができる。また、第１のリムーバー４０の突起部４０ａにより、吸込具１０のより内側で付着ゴミを除去することができ、付着ゴミを吸込具１０から周辺に流出させることがない。また、突起部４０ａの形状により清掃体保持部３２の側面（谷部３４）を沿うように引き抜くことができるので、ガイドとなり、突起がない場合よりも引抜方向（回転ブラシ３０の軸方向）がぶれることなく容易に引き抜くことができ、引抜力を低減できる。
【００２９】
また、同様に第２のリムーバー４１により、清掃体３３に付着した埃の塊等を手を汚さずに容易に除去することができる。また、実施の形態１では第２のリムーバー４１の掻き取り力を大きくするために、第２のリムーバー４１の底面と清掃体３３との重なり量が多くなるようにしたが、実施の形態２では第２のリムーバー４１の突起部４１ａによる付着ゴミの掻き取りが可能になっている。このため、その突起部４１ａの底面を少なくとも清掃体３３に接触する寸法とし、引抜力が小さいまま、塵埃除去性能を上げることができる。
【００３０】
また、図８に示すように、塵埃除去手段３９を隔壁３７の溝３７ｂに回転自在に設置することで、その第１のリムーバー４０の突起部４０ａは回転ブラシ３０の軸方向において、谷部３４と容易に嵌合するように構成され、また、第２のリムーバー４１の突起部４１ａと清掃体３３の位置も合致するので、回転ブラシ３０の塵埃除去作業を開始するときに塵埃除去手段３９に引っかかることなく回転ブラシ３０を引く抜くことができる。
【００３１】
また、実施の形態２では、隔壁３７に塵埃除去手段３９を回転自在に取り付けたことを述べたが、図９に示すように、回転ブラシ３０を引き抜き可能に塵埃除去手段３９を吸込み具１０と一体に形成しても良い。このように構成した場合、掃除機本体１０１の運転時に塵埃除去手段３９が回転ブラシ３０と共に回転しないので、回転による塵埃除去手段３９の周縁部の磨耗を防止でき、部品点数を減らすことができる。また、塵埃除去手段３９を別部品で構成し、隔壁３７に固定しても良い。その場合同様の効果を得るとともに、部品点数は増えるが金型形状を単純化することができる。
【００３２】
実施の形態３．（突起傾斜型リムーバー）
図１０は本発明の実施の形態３に係る電気掃除機の回転ブラシの塵埃除去手段及びその周辺を拡大して示す平面図である。
実施の形態３は、図６に示す塵埃除去手段３９の第１のリムーバー４０に突起部４０ａを、第２のリムーバー４１に突起部４１ａを設けたものである。第１のリムーバー４０の突起部４０ａは、回転ブラシ３０の谷部３４に対応して配置され、その側面形状は、回転ブラシ３０の谷部３４側の面をその谷部隙間３４にほぼ接するように平らとし、根元から先端に向けて下方に傾斜する三角形に形成されている。なお、図５に示す第１のリムーバー４０の根元、つまり突起部４０ａの根元と回転ブラシ３０の回転軸との距離Ｆは、第２のリムーバー４１の下面と回転ブラシ３０の回転軸との距離Ｄより大きくなるように構成する。第２のリムーバー４１の突起部４１ａは、回転ブラシ３０の清掃体３３に対応して配置され、その平面形状は、根元と先端の幅がほぼ同じに形成され、その側面形状は、回転ブラシ３０の清掃体３３側の面を平らとし、根元から先端に向けて下方に傾斜する三角形に形成されている。
【００３３】
実施の形態３においては、第１のリムーバー４０により、回転ブラシ３０に絡みついた糸くずや髪の毛等を手を汚さずに容易に除去することができる。また、第１のリムーバー４０の突起部４０ａを上述したような傾斜型の突起形状（三角形）とすることで、巻付いたゴミは突起部４０ａをすべるようにその巻付いた径を広げ（距離Ｆ）、塵埃除去手段３９の第２のリムーバー４１の下面と回転ブラシ３０の回転軸との距離Ｄよりも大きな径になるので、清掃体３３が塵埃除去手段３９を通過する際に巻付いたゴミが抵抗になることを避けることができ、引抜力を大きくする必要がない。
【００３４】
また、同様に第２のリムーバー４１により、清掃体３３に付着した埃の塊等を手を汚さずに容易に除去することができる。また、第２のリムーバー４１の突起部４１ａを傾斜型の突起形状（三角形）とすることで、吸込具１０のより内側で付着ゴミを除去することができ、吸込具１０から周辺へのゴミ流出を抑えることが可能になる。さらに、側面三角形状の突起部４１ａにより清掃体３３との抵抗を下げることができるので、引抜力を低減することができる。
【００３５】
また、図１０に示すように、塵埃除去手段３９を隔壁３７の溝３７ｂに回転自在に設置することで、その第１のリムーバー４０の突起部４０ａは回転ブラシ３０の軸方向において、谷部３４と容易に嵌合するように構成され、また、第２のリムーバー４１の突起部４１ａと清掃体３３の位置も合致するので、回転ブラシ３０の塵埃除去作業を開始するときに塵埃除去手段３９に引っかかることなく回転ブラシ３０を引く抜くことができる。
【００３６】
また、第２のリムーバー４１の突起部４１ａの根元の高さを第１のリムーバー４０の突起部４０ａの根元の高さより低くしているので、回転ブラシ３０を引き抜いた際、巻きつきゴミを引っ張って径を大きくしたり、清掃体３３と、巻きつきゴミと、突起部４１ａとにより抵抗が大きくなって引抜力を増大してしまうということがなく、引抜力を低減することができる。
【００３７】
また、実施の形態３では、隔壁３７に塵埃除去手段３９を回転自在に取り付けたことを述べたが、図１１に示すように、回転ブラシ３０を引き抜き可能に塵埃除去手段３９を吸込み具１０と一体に形成しても良い。このように構成した場合、掃除機本体１０１の運転時に塵埃除去手段３９が回転ブラシ３０と共に回転しないので、回転による塵埃除去手段３９の周縁部の磨耗を防止でき，部品点数を減らすことができる。また、塵埃除去手段３９を別部品で構成し、隔壁３７に固定しても良い。その場合同様の効果を得るとともに、部品点数は増えるが金型形状を単純化することができる。
【００３８】
実施の形態４（突起傾斜円錐型リムーバー）  
図１２は本発明の実施の形態４に係る電気掃除機の回転ブラシの塵埃除去手段及びその周辺を拡大して示す平面図である。
実施の形態４は、図１２に示すように、第１のリムーバー４０の突起部４０ａは、回転ブラシ３０の谷部３４に対応して配置され、その回転ブラシ３０と接する面の形状は，回転ブラシ３０の谷部３４から清掃体保持部３２を構成する面に一定の間隔を持つ面を構成し、その側面形状は、根元から先端に向けて、回転ブラシ３０の軸方向に垂直に突出し、その先から下方に傾斜する三角形に形成されており、４つの突起部４０ａの外周面は回転軸を中心に円錐形状となっている。なお第１のリムーバー４０の根元と回転ブラシ３０の回転軸との距離Ｆは、第２のリムーバー４１の下面と回転ブラシ３０の回転軸との距離Ｄより大きくなるように構成する。第２のリムーバー４１の突起部４１ａは、回転ブラシ３０の清掃体３３に対応して配置され、その平面形状は、根元と先端の幅がほぼ同じに形成され、その側面形状は、回転ブラシ３０の清掃体３３側の面を平らとし、根元から先端に向けて下方に傾斜する三角形に形成されている。
【００３９】
実施の形態４においては、第１のリムーバー４０により、回転ブラシ３０に絡みついた糸くずや髪の毛等を手を汚さずに容易に除去することができる。また、第１のリムーバー４０の突起部４０ａを円錐型の突起形状（三角形）とすることで、吸込具１０のより内側で付着ゴミを除去することができ、さらに巻付いたゴミは突起部４０ａをすべるようにその巻付いた径を広げ、塵埃除去手段３９の第２のリムーバー４１の下面と回転ブラシ３０の回転軸との距離Ｄよりも大きな径になるので、清掃体３３が塵埃除去手段３９を通過する際に巻付いたゴミがの抵抗になることを避けることができ、引抜力を大きくする必要がない。また、根元から垂直に突出している形状を持つため、巻付いたゴミをより、吸込み具１０の内側で保持することができるので、除去したゴミを外部に流出したりすることを防止し、除去後は本体への吸引が容易になる。
【００４０】
また、同様に第２のリムーバー４１により、清掃体３３に付着した埃の塊等を手を汚さずに容易に除去することができる。また、第２のリムーバー４１の突起部４１ａを傾斜型の突起形状（三角形）とすることで、吸込具１０のより内側で付着ゴミを除去することができ、吸込具１０から周辺へのゴミ流出を抑えることが可能になる。さらに、側面三角形状の突起部４１ａにより清掃体３３との抵抗を下げることができるので、引抜力を低減することができる。
【００４１】
また、塵埃除去手段３９を隔壁３７の溝３７ｂに回転自在に設置することで、その第１のリムーバー４０の突起部４０ａは回転ブラシ３０の軸方向において、谷部３４と容易に嵌合するように構成され、また、第２のリムーバー４１の突起部４１ａと清掃体３３の位置も合致するので、回転ブラシ３０の塵埃除去作業を開始するときに塵埃除去手段３９にを引っかかることなく回転ブラシ３０を引く抜くことができる。
【００４２】
また、第２のリムーバー４１の突起部４１ａの根元の高さを第１のリムーバー４０の突起部４０ａの根元の高さより低くしているので、回転ブラシ３０を引き抜いた際、巻きつきゴミを引っ張って径を大きくしたり、清掃体３３と、巻きつきゴミと、突起部４１ａとにより抵抗が大きくなって引抜力を増大してしまうということがなく、引抜力を低減することができる。
【００４３】
また、実施の形態４では、隔壁３７に塵埃除去手段３９を回転自在に取り付けたことを述べたが、上述した図１１に示すように、回転ブラシ３０を引き抜き可能に塵埃除去手段３９を吸込み具１０と一体に形成しても良い。このように構成した場合、掃除機本体１０１の運転時に塵埃除去手段３９が回転ブラシ３０と共に回転しないので、回転による塵埃除去手段３９の周縁部の磨耗を防止でき，部品点数を減らすことができる。また，塵埃除去手段３９を別部品で構成し，隔壁３７に固定しても良い。その場合同様の効果を得るとともに、部品点数は増えるが金型形状を単純化することができる。
【００４４】
実施の形態５．
図１３は本発明の実施の形態５に係る電気掃除機の回転ブラシの塵埃除去手段及びその周辺を拡大して示す平面図である。
実施の形態４は、図９に示す実施の形態３において隔壁３７ａと塵埃除去手段３９ａを付加したものである。図１１に示すように、貫通穴を有する隔壁３７ａを吸込室１４内に設け、その隔壁３７ａに塵埃除去手段３９ａを取り付けて、塵埃除去手段３９，３９ａの第１のリムーバー４０の突起部４０ａを互いに対向させ、また、第２のリムーバー４１の突起部４１ａを互いに対向させている。
【００４５】
実施の形態４においては、矢印Ａの向きに回転ブラシ３０を引き抜いたときには塵埃除去手段３９によって、また、矢印Ｂの向きに回転ブラシ３０を戻したときには塵埃除去手段３９ａによって付着ゴミが除去される。この往復動作により、より確実に回転ブラシ３０に付着したゴミを除去できる。塵埃除去手段３９と塵埃除去手段３９ａの間に付着ゴミが溜まるので、回転ブラシ３０から除去したゴミを容易に破棄あるいは掃除機本体１０１にて吸引することができる。
【００４６】
なお、前述した実施の形態１乃至５では、筒状基体３１の外周面に軸方向に螺旋状に巻かれた４本の清掃体保持部３２を備えた回転ブラシ３０に塵埃除去手段３９を用いたことを述べたが、これに限定されるものではない。例えば、筒状基体３１の外周面から清掃体３３が突出した回転ブラシ３０に塵埃除去手段を用いても良い。その場合、塵埃除去手段の第１のリムーバーは、清掃体間に設けられた谷部隙間と略同形状となる。
また、４本の清掃体３３が筒状基体３１の軸方向に螺旋状に巻かれた回転ブラシ３０に塵埃除去手段３９を適用したことを述べたが、清掃体３３が筒状基体３１の軸方向に直線状に設けられた回転ブラシに適用できることはいうまでもない。
【産業上の利用可能性】
【００４７】
以上、各実施の形態によって説明した本発明は、メンテナンスが容易で衛生的にできる電気掃除機として広く利用することができる。
【符号の説明】
【００４８】
１０  吸込具、１１  下ケース、１２  上ケース、１３  開口部，１４  吸込室、１６  バッファー部、１７  吸込口、１８  車輪、３０  回転ブラシ、３１  筒状基体、３２  清掃体保持部、３３  清掃体、３４  谷部、３５  軸受け、３６  回転ブラシ保持部、３７  隔壁、３８  ブラシ着脱用持ち手部、３９  塵埃除去手段、４０  第１のリムーバー、４０ａ  突起部、４１  第２のリムーバー、４１ａ  突起部、１０１  掃除機本体、１０２  ホース、１０３  手元ハンドル部、１０４  アタッチメント本体部、１０５  延長管。
【図１】
2011115542.tif 000003
【図２】
2011115542.tif 000004
【図３】
2011115542.tif 000005
【図４】
2011115542.tif 000006
【図５】
2011115542.tif 000007
【図６】
2011115542.tif 000008
【図７】
2011115542.tif 000009
【図８】
2011115542.tif 000010
【図９】
2011115542.tif 000011
【図１０】
2011115542.tif 000012
【図１１】
2011115542.tif 000013
【図１２】
2011115542.tif 000014
【図１３】
2011115542.tif 000015